(57)【特許請求の範囲】
【請求項１】
着脱自在な１対の雌部と雄部で構成の係止具を、自分自身の部位や部品を繋ぐ目的で、その部位や部品に既設している被取付対象に、着脱自在な物品の取付を可能とする取付具であって、
前記取付具は、
前記被取付対象に取付る為に設けられた係止基部と、
この係止基部に接続され、物品を取付る為の手段をもつ物品取付部と、
前記係止基部には、１対の雌部と雄部で構成される係止具と、
を有し、
前記係止基部の係止具の雄部と雌部は、前記被取付対象に既設されている係止具の雌部と雄部にそれぞれ着脱自在に係止可能であると共に、雄部の係止方向と、雌部の係止方向と、が略反対を向くように前記係止基部に固着されており、
前記係止基部にある係止具の雄部と雌部を、前記被取付対象の係止具の雌部と雄部の間にそれぞれが係止する方向で係止基部を挟着し着脱自在な取付を可能とした、
ことを特徴とする取付具。
【請求項２】
着脱自在な１対の雌部と雄部で構成の係止具を、自分自身の部位や部品を繋ぐ目的で、その部位や部品に既設している被取付対象に、着脱自在な物品の取付を可能とする取付具であって、
前記取付具は、
物品と、
この物品と一体に形成された、前記被取付対象に取付る為に設けられた係止基部と、
前記係止基部には、１対の雌部と雄部で構成される係止具と、
を有し、
前記係止基部の係止具の雄部と雌部は、前記被取付対象に既設されている係止具の雌部と雄部にそれぞれ着脱自在に係止可能であると共に、雄部の係止方向と、雌部の係止方向と、が略反対を向くように前記係止基部に固着されており、
前記係止基部にある係止具の雄部と雌部を、前記被取付対象の係止具の雌部と雄部の間にそれぞれが係止する方向で係止基部を挟着し着脱自在な取付を可能とした、
ことを特徴とする取付具。
【請求項３】
上記係止基部の係止具の雄部と雌部は、それぞれの係止方向に対して垂直な平面に投影しても互いが重ならない様にオフセットされ、雄部の係止方向における雌部との距離を所望の距離に設定して、前記係止基部にそれぞれ固着した、ことを特徴とする、請求項１または請求項２の取付具。
【請求項４】
上記係止基部にある係止具の雄部と上記被取付対象の係止具の雌部が係止する第１係止部の第１係止力と、前記係止基部にある係止具の雌部と前記被取付対象の係止具の雄部が係止する第２係止部の第２係止力において、
前記係止基部に固着された係止具は、第１係止部を構成する雄部と、第２係止部を構成する雌部の、いずれか１方または両方の係止力を構成する要素を変更し、第１係止力と第２係止力を不均等とした、
ことを特徴とする、請求項１乃至請求項３のいずれか１項の取付具。
【請求項５】
上記係止基部にある係止具の雄部と上記被取付対象の係止具の雌部が係止する第１係止部と、前記係止基部にある係止具の雌部と前記被取付対象の係止具の雄部が係止する第２係止部において、
第１係止部を構成する前記係止基部の係止具の雄部の大きさや形状を、第２係止部を構成する前記被取付対象の係止具の雄部と比較して異なる物とする第１手段と、
第２係止部を構成する前記係止基部の係止具の雌部の大きさや形状を、第１係止部を構成する前記被取付対象の係止具の雌部と比較して異なる物とする第２手段と、
前記第１手段と前記第２手段のいずれか１つ、もしくは両方の手段を持つ、
ことを特徴とする、請求項１乃至請求項３のいずれか１項の取付具。
【発明の詳細な説明】
【技術分野】
【０００１】  本発明は、係止具を使用して物品を取付る際の取付具に関する。
【背景技術】
【０００２】  近年、カメラや携帯音楽プレイヤー、ゲーム機器、携帯電話、照明器具、ＩＣ付き身分証明カード等の電子機器の小型化や多様化に伴い、これらの電子機器を含む多くの物品を、ズボン、鞄、靴、帽子などの被取付対象へ取付けたいという要求が増えてきている。【０００３】  そして、被取付対象に物品の取付を行う為の取付具は、特許文献１のような、被取付対象と取付具に互いを取付る為に専用の係止具を設けた取付具が一般的である。また、より多くの取付場所を提供可能とする為、特許文献２のように、被取付対象に取付を行う為の係止具を必要としないクリップのような係止具を使用した取付具が開示されている。その一方で、物品取付の為に使用可能な係止具の多くは、主に被取付対象に、自身の部位や部品を繋ぐ目的で既設され使用されている事が多く、使用場所や数量も多い。
【先行技術文献】
【特許文献】
【０００４】
【特許文献１】特開平１０−１２３９６０号
【特許文献２】特許３８７１９２１号
【発明の概要】
【発明が解決しようとする課題】
【０００５】  特許文献１の発明は、取付具と被取付対象に互いに取付専用の係止具を設ける為、係止具を使用した確実な取付が可能となるが、取付場所が限られるという問題や、非取付時には被取付対象に係止具のみ残留してしまうというデザイン上の問題が発生する。また、特許文献２の発明では、取付具のみに係止具が設けられ、被取付対象となる衣服などの端部を挟み込む事で取付可能となる為、服のポケットやベルト等、取付場所の選択肢が広がる利点がある。一方で、取付具が複雑な構造を持つ高価な物であり、また、被取付対象には取付けの為の係止具がない為、衝撃や振動により脱落しやすいという欠点がある。【０００６】  本発明は、かかる点に鑑みてなされたものであり、被取付対象に既設されている係止具を使用して物品の取付けを可能とし、より確実で、より安価で、よりデザイン性の高いスマートな物品の取付が可能な取付具を提供することを目的とする。
【課題を解決する為の手段】
【０００７】  上記課題を解決する為、請求項１に記載の発明に係る取付具は、着脱自在な１対の雌部と雄部で構成の係止具を、自分自身の部位や部品を繋ぐ目的で、その部位や部品に既設している被取付対象に、着脱自在な物品の取付を可能とする取付具であって、取付具は、被取付対象に取付る為に設けられた係止基部と、この係止基部に接続され、物品を取付る為の手段をもつ物品取付部と、係止基部には、１対の雌部と雄部で構成される係止具と、を有し、係止基部の係止具の雄部と雌部は、被取付対象に既設されている係止具の雌部と雄部にそれぞれ着脱自在に係止可能であると共に、雄部の係止方向と、雌部の係止方向と、が略反対を向くように係止基部に固着されており、係止基部にある係止具の雄部と雌部を、被取付対象の係止具の雌部と雄部の間にそれぞれが係止する方向で係止基部を挟着し着脱自在な取付を可能とした、ことを特徴としている。
【０００８】  請求項２に記載の発明に係る取付具は、着脱自在な１対の雌部と雄部で構成の係止具を、自分自身の部位や部品を繋ぐ目的で、その部位や部品に既設している被取付対象に、着脱自在な物品の取付を可能とする取付具であって、取付具は、物品と、この物品と一体に形成された、被取付対象に取付る為に設けられた係止基部と、係止基部には、１対の雌部と雄部で構成される係止具と、を有し、係止基部の係止具の雄部と雌部は、被取付対象に既設されている係止具の雌部と雄部にそれぞれ着脱自在に係止可能であると共に、雄部の係止方向と、雌部の係止方向と、が略反対を向くように係止基部に固着されており、係止基部にある係止具の雄部と雌部を、被取付対象の係止具の雌部と雄部の間にそれぞれが係止する方向で係止基部を挟着し着脱自在な取付を可能とした、ことを特徴としている。
【０００９】  請求項３に記載の発明は、請求項１〜請求項２のいずれかに記載の取付具で、上記係止基部の係止具の雄部と雌部は、それぞれの係止方向に対して垂直な平面に投影しても互いが重ならない様にオフセットされ、雄部の係止方向における雌部との距離を所望の距離に設定して、係止基部にそれぞれ固着した、ことを特徴としている。
【００１０】請求項４に記載の発明は、請求項１〜請求項３のいずれかに記載の取付具で、上記係止基部にある係止具の雄部と被取付対象の係止具の雌部が係止する第１係止部の第１係止力と、係止基部にある係止具の雌部と被取付対象の係止具の雄部が係止する第２係止部の第２係止力において、係止基部に固着された係止具は、第１係止部を構成する雄部と、第２係止部を構成する雌部の、いずれか１方または両方の係止力を構成する要素を変更し、第１係止力と第２係止力を不均等とした、ことを特徴としている。
【００１１】  請求項５に記載の発明は、請求項１〜請求項３のいずれかに記載の取付具で、上記係止基部にある係止具の雄部と被取付対象の係止具の雌部が係止する第１係止部と、係止基部にある係止具の雌部と被取付対象の係止具の雄部が係止する第２係止部において、第１係止部を構成する係止基部の係止具の雄部の大きさや形状を、第２係止部を構成する被取付対象の係止具の雄部と比較して異なる物とする第１手段と、第２係止部を構成する係止基部の係止具の雌部の大きさや形状を、第１係止部を構成する被取付対象の係止具の雌部と比較して異なる物とする第２手段と、第１手段と第２手段のいずれか１つ、もしくは両方の手段を持つ、ことを特徴としている。
【発明の効果】
【００１２】本発明によれば、物品などの取付の為に特別な係止具を使用することなく、被取付対象に既設されている係止具を使用して、より確実で、より安価に、よりデザイン性の高いスマートな取付具を提供することができる。
【図面の簡単な説明】
【００１３】
【図１】本発明の第１の実施の形態における取付具の構造を示す斜視図
【図２】本発明の第２の実施の形態における取付具の示す斜視図
【図３】本発明の第２の実施の形態における取付具の、被取付対象へ取付た時の正面図（ａ）、断面図（ｂ）、被取付対象から外した時の断面図（ｃ）
【図４】本発明の第３、４の実施の形態に使用のベルト（被取付対象）の正面図
【図５】本発明の第３の実施の形態における取付具の、斜視図（ａ）、断面図（ｂ）、物品を取付た時の斜視図（ｃ）、被取付対象へ取付た時の概略図（ｄ）
【図６】本発明の第４の実施の形態における取付具の、斜視図（ａ）、断面図（ｂ）、物品を取付た時の斜視図（ｃ）、被取付対象へ取付た時の概略図（ｄ）
【図７】本発明の第５の実施の形態における取付具に使用の係止具雌部の構造図
【図８】本発明の第６の実施の形態における取付具の構造を示す斜視図（ａ）、取付具に使用の係止具雌部の構造図（ｂ）
【図９】本発明の第７の実施の形態における取付具と被取付対象の、取付具を被取付対象へ取付た時の正面図（ａ）、断面図（ｃ）、取付具のみの断面図（ｂ）、被取付対象のみの断面図（ｄ）
【図１０】本発明の８の実施の形態における取付具の、構造を示す斜視図（ａ）、（ｂ）、被取付対象へ取付た時の正面図（ｃ）、断面図（ｄ）
【図１１】本発明の第９の実施の形態における取付具の斜視図
【図１２】本発明の第１０の実施の形態における取付具の斜視図
【図１３】本発明の第１０の実施の形態における取付具を、ジャケットに取付た時の正面図（ａ）、ブーツに取付た時の側面図（ｂ）、ズボンの裾をまとめるベルトに取付た時の側面図（ｄ）、ズボンの裾をまとめるベルトの構造図（ｃ）
【発明を実施する為の形態】
【００１４】  以下、本発明に係る取付具の実施の形態について、図面に基づいて詳細に説明する。
【００１５】（第１の実施の形態）
本実施の形態は、名札ホルダーを取付けた取付具であり、図１に従って説明する。
【００１６】  図１（ａ）は取付具００の構造をわかりやすく説明する為に係止具を外した取付具００の斜視図である。図１（ｂ）は取付具００の斜視図である。取付具００は物品取付手段３である物品を接着する為の接着面をもつ物品取付部２と、被取付対象に取付る為に設けられた係止基部１を基本構造体としている。物品取付部２と係止基部１は樹脂で一体成形され接続されている。係止基部１には外側に向かい略反対方向の係止具取付部８と係止具取付部９が設けられており、係止具取付部８には面ファスナー１０の雄部５Ｍが接着により固着され、係止具取付部９には面ファスナー１０の雌部５Ｆが雄部５Ｍと背中合わせとなるように接着されている。
【００１７】  この為、雄部５Ｍの係止方向Ｍと雌部５Ｆの係止方向Ｆが反対方向を向く構造となっている。さらに係止基部１と係止基部１に設けられた雄部５Ｍと雌部５Ｆは被取付対象に取付の為に専用に設けられている。
【００１８】  図１（ｃ）は取付具００の物品取付手段３の接着面に樹脂で成形された名札ホルダー３０（物品）を接着剤により接着した状態の斜視図である。
【００１９】  なお、本実施の形態では、物品を取付る為の手段として接着剤による接着を使用しているが、鋲や、ボタンなどの係止具、を使用した取付手段を用いても同様の効果を奏する。
【００２０】  また、この取付具００は、これから説明の第２の実施の形態と取付具と物品の接続方法を除いて全く同じである為、第２の実施の形態で同じ符号を用いて詳細に説明する。
【００２１】（第２の実施の形態）
本実施の形態を図２、図３で詳細に説明する。図２は係止基部１が名札ホルダー３０（物品）と一体に形成された取付具００の斜視図であり、図３は取付具００の被取付対象１００である服への取付け方法を図示している。なお、取付具００の係止基部１の構造については第１の実施の形態と同じである為、説明を省略する。
【００２２】  取付具００の係止基部１は、名札ホルダー３０の１端面に設けられ、名札ホルダー３０と一体に樹脂成形されている。
【００２３】  図３に、取付具００を服に取付けた様子を示す。図３（ａ）に取付時の正面図を、また、図３（ａ）中の１点鎖線ＡＡ´における断面図を図３（ｂ）に示す。図３（ｃ）に図３（ｂ）の状態から取付具００を取り外した状態の１点鎖線ＡＡ´における断面図を示す。
【００２４】  服には自身にあるポケット蓋部と服表地を繋ぐ為に、取付具００の面ファスナー１０と係止可能な同じ種類の面ファスナーで、正対する１対の雌部６Ｆと雄部６Ｍで構成の面ファスナー２０が既設されている。具体的には、服のポケット蓋部の裏側には雄部６Ｍが、その係止方向を服表地に向くように縫付けられ、服表地には雌部６Ｆが、６Ｍと係止可能な位置に係止方向がポケット蓋部を向くように縫付けられている。服の雄部６Ｍと雌部６Ｆはポケット蓋部と服表地に正対する様に設けられている為、お互いが係止可能となる。
【００２５】  このようなポケット蓋部の役割は、ポケットへの物品収容時には、ポケットの蓋を開けてポケット内部への出入りを可能にし、通常時は蓋を閉じることでポケット収容物の外部への飛散防止や、収容物が外部から安易に見られないようにするものである。このポケット開口部の開閉が面ファスナー２０が服に既設されている本来の目的で、取付具００の取付とは別の目的である。
【００２６】  そして取付具００は服のポケット蓋部と服表地に既設の面ファスナー２０を使用して取付けを行う。
【００２７】  具体的には、被取付対象１００の雌部６Ｆと取付具００にある係止基部１の雄部５Ｍが係止し、且つ、被取付対象１００の雄部６Ｍと係止基部１の雌部５Ｆが係止する方向で、被取付対象１００の正対する雄部６Ｍと雌部６Ｆの間に係止基部１を挿入し、係止基部１を雌部６Ｆと雄部６Ｍの間に挟着することにより、係止基部１を被取付対象１００へ取付ることが可能となる。
【００２８】  取付具００の使用時には服のポケット蓋部と服表地は、取付具００の係止基部１を介して間接的に繋がれ、取付具００も確実に服に取付けられている。
【００２９】  具体的には、係止基部１にある雄部５Ｍと被取付対象１００にある雌部６Ｆが係止する第１係止部と、係止基部１の雌部５Ｆと被取付対象１００の雄部６Ｍが係止する第２係止部と、これら２つの係止部が係止することにより被取付対象１００の雄部６Ｍと雌部６Ｆが係止基部１を介して間接的に係止されることとなる。さらに係止基部１は上記第１係止部と第２係止部の２カ所の係止具を使用した係止部により確実に取付けられる。
【００３０】  さらに、服の面ファスナー２０の本来の目的の１つであるポケット蓋部の開口も実現可能なうえ、その際も取付具００は服へ取付けられたまま残留することが可能となる。
【００３１】  具体的には、上記第１係止部と第２係止部のいずれかを外すことで係止基部１により間接的に繋がれていた被取付対象１００の雄部６Ｍと雌部６Ｆを外すことが可能となり、その際、外されずに残されたもう一方の係止部により係止基部１は被取付対象１００に取付けられたまま残留することとなる。
【００３２】  以上のとおり服に既設されている面ファスナー２０を使用して、面ファスナー２０の本来の目的である、ポケット蓋部と服表地を繋ぐ目的を妨げることなく、同時に取付具００の取付が実施可能となる。また図３（ｃ）に示されるとおり、取付具００を使用しない場合は服に既設されている面ファスナー２０のみが残される為、先行技術の問題点である物品取付の為の係止具が残されるといった不具合が発生しない。また、取付には被取付対象に既設されている汎用の係止具を使用する為、取付の為に専用の複雑な構造を持つ高価な係止具も必要としない。つまり、本発明に係る取付具を使用することで、係止具を使用したより確実で、より安価で、よりデザイン性の高いスマートな名札ホルダー３０の取付が可能となる。
【００３３】このように、本発明による取付具を使用する事で、本来の“繋ぐ”目的の為に被取付対象に既設されている係止具を使用して、その係止具を使用した第１係止部と第２係止部による確実な物品の取付を可能とする。また、被取付対象に既設されている“繋ぐ”目的の為の係止具を外す際も、取付具は被取付対象から外れることが無い。つまり本発明に係る取付具を使用する事で、被取付対象に既設の係止具の本来の目的に、その目的を一切損なうことなく、物品取付の目的を追加することが可能となる。
【００３４】  さらに係止基部１の取付場所としては、服のポケット蓋部に限らず、被取付対象自身に属する２つ以上の部位または部品を繋ぐ為に既設され正対する１対の雌部と雄部で構成される係止基部１と係止可能な同じ種類の係止具を持つ場所であれば取付け可能となる。
【００３５】  また本実施の形態では、係止基部１と被取付対象１００に設けられた雄部と雌部で構成される係止具として面ファスナーを使用しているが、ボタン、スナップボタン、バックル、ファスナー、チャック、ひねり、などの雄部と雌部で構成される係止具であれば同様に適用でき、同様の効果を奏する。
【００３６】  本実施の形態では、係止基部１の形状が係止基部１の雄部５Ｍと雌部５Ｆ、並びに被取付対象１００の雄部６Ｍと雌部６Ｆ形状に合わせて矩形となっているが、係止基部１や被取付対象１００の係止具の形状に合わせて、楕円形、多角形、丸状、リング状など、取付具００や被取付対象１００に既設の係止具の目的に沿った機能的な形状としても良い。
【００３７】（第３の実施の形態）
本実施の形態を図４、図５で詳細に説明する。図４は被取付対象１００となるベルトについて示し、図５では物品取付手段３として貫通孔をもつ物品取付部２を有した取付具００と、取付具００のベルトへの取付け方法を図示している。
【００３８】  図５（ａ）は取付具００の斜視図で、図中の１点鎖線ＢＢ´における断面を図５（ｂ）に示す。取付具００は貫通孔をもつ物品取付部２と、被取付対象に取付る為に設けられた係止基部１を基本構造体とし、物品取付部２と係止基部１は樹脂で一体成形され接続されている。係止基部１には外側に向かい略反対方向の係止具取付部８と係止具取付部９が設けられており、係止具取付部８に樹脂製のバックル１１の雄部５Ｍが、また、係止具取付部９にはバックル１１の雌部５Ｆが雄部５Ｍと背中合わせとなるように、係止基部１にそれぞれ一体成形にて固着されている。
【００３９】  図４はベルトの正面図で、自身の両端部には、両端部を繋ぐ為に取付具００のバックル１１と係止可能な同じ種類のバックルで、正対する１対の雌部と雄部で構成のバックル２１が既設されている。このようなベルトは様々な場所で利用されているが、例えば衣服などがずれ落ちないようにする目的で衣服やズボン腰部の締付け具などに利用される。
【００４０】  図５（ｃ）にポーチ３１（物品）を糸で貫通孔に縫い付けた取付具００を示し、図５（ｄ）にはポーチ３１を付けた取付具００を、ベルトに取付けた様子を示す。なお、第２の実施の形態と同様の部分については同一の符号を用いてその説明を省略する。
【００４１】  本実施の形態では比較的大きな係止具であるバックルを使用している為、取付具００非使用時のベルトのバックル２１が係止した時の雄部６Ｍと雌部６Ｆの距離Ｌ１と比較し、取付具００使用時の雄部６Ｍと雌部６Ｆの距離Ｌ２が長くなる現象が発生する。ベルトの使用目的が衣服の締付けの場合、取付具００非使用時の締付け具合から、取付具００の使用時にはＬ１とＬ２の差分の距離が本来のベルトの全長に加えられることになり、結果として締付け具合を緩める現象を発生させる。しかしながら、このような現象が問題になるか否かは、ベルト装着時の使用者の感覚によって判断される物で、必ずしも問題になるとは限らない。一般的には、上記現象が数センチメートルであれば問題にはならない。
【００４２】（第４の実施の形態）
上記現象を解決する為の本実施の形態を図６で詳細に説明する。図６（ａ）は取付具０１の斜視図で、図中の１点鎖線ＣＣ´における断面を図６（ｂ）に示す。さらに図６（ｃ）にポーチ３１（物品）を取付けた取付具０１を示し、図６（ｄ）にはポーチ３１を取付けた取付具０１を、ベルトに取付けた様子を示す。
【００４３】  取付具０１は取付具００と同様、物品取付手段３となる貫通孔をもつ物品取付部２と、係止基部１と、係止基部１にあるバックル１１が樹脂で一体成形されている。ただし、取付具００と異なり、取付具０１の係止基部１には、バックル１１の雄部５Ｍと雌部５Ｆが、それぞれの係止方向に垂直の平面に投影しても互いが重ならない様に距離Ｌ４の量をオフセットされ、且つ、それぞれの係止方向が反対を向き固着できるように、係止具取付部８と係止具取付部９が設けられている。この係止基部１と係止基部１に設けられた雄部５Ｍと雌部５Ｆは被取付対象に取付の為に専用に設けられている。
【００４４】  つまり、取付具０１の雄部５Ｍと雌部５Ｆは互いの係止方向が反対となるように設けられている為、雄部５Ｍと雌部５Ｆは、そのどちらかの係止方向に設けた平面に投影しても互いが重ならない様にオフセットされていることになる。また係止基部１の係止具取付部８と係止具取付部９はこの条件が満たされるように設定され設けられている。以上の係止基部１により、距離Ｌ３を所望の量に設定可能となる。
【００４５】  より詳細に図６（ｂ）を使用して説明する。係止具取付部８を基準に、係止具取付部９を係止具取付部９に固着される雌部５Ｆの係止方向Ｆの方向に移動させると距離Ｌ３は長くなり距離Ｌ２より長くする事も可能となる。逆に係止具取付部９を係止具取付部８に固着される雄部５Ｍの係止方向Ｍの方向に移動させると距離Ｌ３は短くなり、距離Ｌ１より短くする事も可能となる。取付具０１はＬ３とＬ１が等しくなるように係止具取付部８と係止具取付部９を設定し、取付具０１を使用する事で、第３の実施の形態で説明した取付具００を使用時における距離Ｌ２が距離Ｌ１よりも長くなるという現象を抑えている。
【００４６】  距離Ｌ４について考察すると、距離Ｌ４は図６（ｂ）で理解できるが、係止方向に垂直な方向における雄部５Ｍの幅の半分の距離Ｗ１と、同方向における雌部５Ｆの幅の半分の距離Ｗ２と、同方向における係止基部１の幅の距離Ｗ３の和となる。ここで、雄部５Ｍの幅、と、雌部５Ｆの幅、と表現しているが、この幅はそれぞれの一部の幅を示すものでは無く、雄部５Ｍ、雌部５Ｆ共に係止具として機能する有効な部分の幅を指し示していることは言うまでもない。そしてオフセット距離Ｌ４を設けたのは、距離Ｌ１と距離Ｌ３の差を小さくする為であり、同様の理由から、図４の状態では略０となる距離Ｌ４についても可能な限り小さい方が好ましい。従って、係止具の雄部５Ｍと雌部５Ｆが係止基部１と一体で形成されているような取付具０１において、距離Ｌ４の最良値はＷ１とＷ２の和の最小値となる。また、取付具や係止基部の構造上の理由から距離Ｗ３が必要な場合でも、係止基部１や取付具０１の構造を維持する上で可能な限り短い距離が好ましい。
【００４７】  本実施の形態の他の構成については、第３の実施の形態と同様である為、ここでの説明は繰り返さない。
【００４８】（第５の実施の形態）
本実施の形態を図７、図２、図３で説明する。本実施の形態では、先に説明した第２の実施の形態における取付具００の係止基部１にある面ファスナー１０において、その面ファスナー１０を構成する雌部５Ｆを雌部５Ｆ′に変更している。他の構成については第２の実施の形態と同様である為、ここでの説明は繰り返さない。
【００４９】  本実施の形態では第２の実施の形態で使用の図７（ａ）に示す面ファスナー１０の雌部５Ｆに変えて、図７（ｂ）に示す雌部５Ｆ′を使用している。これにより、取付具００の係止基部１にある面ファスナー１０の雄部５Ｍと被取付対象１００の面ファスナー２０の雌部６Ｆが係止している第１係止部の第１係止力と、係止基部１にある面ファスナー１０の雌部５Ｆと被取付対象１００の面ファスナー２０の雄部６Ｍが係止している第２係止部の第２係止力において、第１係止力と第２係止力を意図的に不均等としている。
【００５０】面ファスナーは、雌部と雄部の表面に互いに嵌合可能な素子を無数に備え、この素子が嵌合する事で係止具として機能する。面ファスナー１０と面ファスナー２０は、雄部表面に無数のフック状の素子を持ち、雌部表面に無数の繊維質でループ状の素子を持つ構造をしている。面ファスナーの係止力を構成する要素としては、各素子を有する雌部、雄部の面積を変更する方法、雄部と雌部が互いに有効に嵌合する面積を変更する方法、雄部と雌部を構成するそれぞれの素子の密度や形状を変更する方法などが有る。
【００５１】  本実施の形態は、面ファスナーの係止力の調整を、面ファスナー１０の雌部５Ｆに設けられている繊維質でループ状の素子２００が存在する面積を変更する事で実現している。具体的には図７で示すとおり５Ｆにある繊維質でループ状の素子２００を間引き、５Ｆと比較して５Ｆ′の繊維質でループ状の素子２００が存在する面積を小さく設定した。
【００５２】  そして被取付対象１００の雌部６Ｆと同種類で同じ面積の雌部５Ｆを雌部５Ｆ′に変更し第１係止部の第１係止力と第２係止部の第２係止力を不均等に、つまり、第２係止力を第１係止力より弱く設定した。これにより、使用者がポケット収容物にアクセスする際、ポケット蓋部を引っ張ると取付具００がより大きな係止力を持つ服表地側（第１係止部側）に残留してポケット蓋部が外れる為、取付具００をポケット蓋部と一緒に持ち上げる必要が無く、使い勝手の良い取付具００を提供可能となる。
【００５３】  本実施の形態では取付具００の雌部５Ｆの係止力を構成する要素を変更して第１係止力と第２係止力を不均等としたが、雄部５Ｍの係止力を構成する要素を変更して第２係止力を操作しても良い。また第１係止力と第２係止力を同時に操作しても良い。
【００５４】  ところで、面ファスナーのような係止具の特徴として、雌部と雄部が係止する力は前述の通り面積に比例する。従って取付具００の使用時における被取付対象１００の雄部６Ｍと雌部６Ｆが間接的に係止される係止力は、被取付対象の面ファスナー２０よりも係止基部１の面ファスナー１０の面積が大きい場合、雄部６Ｍと雌部６Ｆが直接係止した時の係止力と略等価となる。逆に面ファスナー２０よりも面ファスナー１０の面積が小さい場合は面ファスナー１０の雄部５Ｍと雌部５Ｆが直接係止した時の係止力と略等価となる。
【００５５】  ただし、面ファスナー２０よりも面ファスナー１０の面積が小さい場合で、且つ、係止基部１の面積と面ファスナー１０の面積が等しい場合は、面ファスナー２０と面ファスナー１０が重ならない部分、つまり、面ファスナー２０が面ファスナー１０と係止できない面は、雄部６Ｍと雌部６Ｆが直接係止可能となる。この為、雄部６Ｍと雌部６Ｆが間接的に係止される係止力は、雄部６Ｍと雌部６Ｆが直接係止した時の係止力と略等価となる。さらにこの場合、係止基部１の雄部５Ｍもしくは雌部５Ｆのいずれかの面積を０として係止力を不均等としても、係止基部１は面積を０としなかった雄部５Ｍもしくは雌部５Ｆと雌部６Ｆもしくは雄部６Ｍのいずれかが係止する事で取付けが可能となる為、面ファスナー２０の本来の目的である被取付対象自身に属する２つ以上の部位または部品を繋ぐということと取付具００の取付が同時に可能となる。
【００５６】（第６の実施の形態）
本実施の形態を図８で説明する。図８では係止具としてスナップボタンを使用した取付具００を図示している。なお、本実施の形態では、スナップボタンを使用した場合の取付具の特徴を説明しており、前述の実施の形態と同様の部分については同一の符号を用いてその説明を省略する。
【００５７】  図８（ａ）に示す通り、取付具００は物品と縫い合わせ可能な物品取付部２と、被取付対象に取付る為の係止基部１で構成されており、物品取付部２と係止基部１は１枚の布地に設けられている。係止基部１には係止方向を略反対になるように、金属製のスナップボタン１２の雄部５Ｍと雌部５Ｆが略背中合わせに縫い付けられている。
【００５８】  そして、取付具００は、被取付対象自身に属する２つ以上の部位または部品を繋ぐ為に既設され、正対する１対の雌部と雄部で構成の取付具００のスナップボタンと係止可能な同じ種類の金属製のスナップボタンを持つ被取付対象への取付けが可能となる。
【００５９】  スナップボタンは金属製のものや樹脂製のものがある。多くは凸状の雄部と、雄部に嵌合可能な凹状の雌部で構成されており、雄部もしくは雌部に弾性部材が設けられ、相手側にはこの弾性部材と係合する係合部が設けられている。そしてこの弾性部材と、係合部が係合することで係止具として利用可能となる。樹脂製のものには特別な弾性部材を設けず、樹脂自体がもつ弾性を利用した物もある。このようなスナップボタンの係止力の変更は、上記弾性部材の係合部側へ付勢する力を制御することで可能となる。また、雄部と嵌合する雌部の凹状の内径を変更したり、逆に雌部と嵌合する雄部の凸状の外径を変更したりする方法がある。取付具００は図８（ｂ）に示すとおり、スナップボタン１２の雌部５Ｆ内部に弾性体として設けられている金属製のばね２０２のばね係数を、被取付対象に既設のスナップボタンの雌部に弾性体として使用しているばねのばね係数に比べて大きく設定している。これにより係止基部１の雄部５Ｍと被取付対象の雌部が係止している第１係止力と、係止基部１の雌部５Ｆと被取付対象の雄部が係止している第２係止力において、第１係止力と第２係止力を不均等、且つ第２係止力を第１係止力より強くしている。
【００６０】（第７の実施の形態）
本実施の形態を図９で詳細に説明する。なお、ボタン１３とボタン２３は、雄部であるボタンと雌部であるボタンホールで構成されている。また、本実施の形態では、第２の実施の形態と同様の部分については同一の符号を用いてその説明を省略する。
【００６１】  図９（ａ）は名札ホルダー３３を取付けた取付具００を被取付対象１００である服へ取付けた状態の正面図であり、図９（ｃ）は図９（ａ）の１点鎖線ＤＤ´における断面図を示している。また、図９（ｂ）は図９（ｃ）の取付具００と名札ホルダー３３の構成のみの断面図を示しており、図９（ｄ）は図９（ｃ）から取付具００を外した際の、服の１点鎖線ＤＤ´における断面図を示している。
【００６２】  取付具００は、物品を縫い付け（物品取付手段）可能な物品取付部２と、被取付対象に取付る為の係止基部１によって構成されており、係止基部１にはそれぞれの係止方向が略反対となるようにボタン１３の雄部５Ｍであるボタンと雌部５Ｆであるボタンホールが設けられている。より具体的には、取付具００は２枚の布地４０Ａと布地４０Ｂで構成されている。布地４０Ａの１面に雄部５Ｍであるボタンが縫付けられている。布地４０Ａのもう１方の面には、雌部５Ｆであるボタンホールを設けた布地４０Ｂが、雄部５Ｍと雌部５Ｆが略背中合わせとなる様に、その一端を布地４０Ａに縫付けられている。このとき、布地４０Ｂの縫付けられている一端と反対側の端面は、布地４０Ａと布地４０Ｂの間に指が挿入できるよう開口部が設けられている。さらに布地４０Ａの前記開口部と反対側には物品取付部２が設けられ、布地で作られた名札ホルダー３３が縫付けられている。
【００６３】  そして服には自身にあるポケット蓋部と服表地を繋ぐ為に、取付具００のボタン１３と係止可能な同じ種類のボタンで、正対する１対の雌部６Ｆと雄部６Ｍで構成のボタン２３が既設されている。具体的には、服のポケット蓋部にはボタンホールである雌部６Ｆが設けられ、また、服表地にはボタンである雄部６Ｍが、雌部６Ｆと係止可能な位置に係止方向がポケット蓋部を向くように縫付けられている。服に既設の係止具の雄部６Ｍと６Ｆはポケット蓋部と服表地に正対する様に設けられている為、互いが係止可能となる。
【００６４】  そして取付具００は、ボタン２３の雌部６Ｆとボタン１３の雄部５Ｍが係止し、且つ、ボタン２３の雄部６Ｍとボタン１３の雌部５Ｆが係止する方向で、ボタン２３の正対する雄部６Ｍと雌部６Ｆの間に係止基部１を挿入され、係止基部１を雌部６Ｆと雄部６Ｍの間に挟着することにより、取付具００を服へ取付ることが可能となる。
【００６５】  さらに、本実施の形態で示される取付具００は、係止基部１にあるボタン１３の雄部５Ｍと服のボタン２３の雌部６Ｆが係止している第１係止部と、係止基部１にあるボタン１３の雌部５Ｆと服のボタン２３の雄部６Ｍが係止している第２係止部において、第１係止部を構成する係止基部１の雄部５Ｍであるボタンの大きさ、形状を、第２係止部を構成する服の雄部６Ｍと異なる物とする第１手段を採用している。
【００６６】  この効果として具体的には、雄部５Ｍのボタンと雄部６Ｍのボタンの形状を異なる物にすることで第１係止部と第２係止部の、使用者による、主に視覚や手の触覚による差別化を実現して２つの係止部の選択を容易にすることにある。さらに、雄部６Ｍと比較して雄部５Ｍのボタン形状の指の掛かる部分を大きく取ることでボタンを外しやすくする効果を持たせ、優先的に第１係止部を選択可能としている。
【００６７】  前述のとおり取付具００は、雄部５Ｍであるボタンの大きさと形状を、服の雄部６Ｍと異なる物としているが、雌部５Ｆであるボタンホールの大きさと形状を、服の雌部６Ｆのボタンホールと異なる物とする第２手段を採用してもよい。ボタンと同様、より大きなボタンホールを形成することでボタンを外しやすくする事ができる。また、上記第１手段と第２手段を同時に採用しても良い。
【００６８】（第８の実施の形態）
本実施の形態を図１０で詳細に説明する。図１０では取付具００と非接触ＩＣタグ３４（物品）を被取付対象１００である服へ取付けている様子を図示している。なお、本実施の形態では、第２の実施の形態と同様の部分については同一の符号を用いてその説明を省略する。
【００６９】  図１０（ａ）は取付具００の構造をわかりやすく説明する為、係止具を外した取付具００の斜視図である。図１０（ｂ）は取付具００の斜視図である。非接触ＩＣタグ３４は取付具００の係止基部１より小さく、係止基部１に収容可能となり、樹脂製の係止基部１に包まれ内蔵されている。つまり、物品と取付具が一体で形成されている。そのほかの構成は第２の実施の形態で使用した取付具００と同様である。
【００７０】  図１０（ｃ）は被取付対象１００である服のポケット蓋部と服表地の間に取付具００を取付けた状態の正面図で、図１０（ｄ）は図１０（ｃ）の１点鎖線ＥＥ´における断面図を示している。図で示すとおり、服のポケット蓋部と服表地を繋ぐ為に既設されている面ファスナー２０の雌部６Ｆと雄部６Ｍに非接触ＩＣタグ３４を内蔵した取付具００が挟着されて非接触ＩＣタグ３４の取付を行うことが可能となる。
【００７１】  非接触ＩＣタグ３４は、非接触通信による個人情報などの認証及び情報管理が行える仕組みをもつＩＣを使用した技術で、近年、社員証などに利用されている。
【００７２】（第９の実施の形態）
図１１は本実施の形態である、第１の実施の形態で説明した取付具と物品取付手段３のみ異なる取付具００の構成を示している。なお、本実施の形態では、第１の実施の形態と同様の部分については同一の符号を用いてその説明を省略する。
【００７３】  本実施の形態では物品取付部に設けられた物品取付手段３が貫通孔であり、この貫通孔を使用してカラビナ３５を取付ている。
【００７４】  （第１０の実施の形態）
図１２と図１３は本実施の形態を示している。なお、本実施の形態では、第２の実施の形態と同様の部分については同一の符号を用いてその説明を省略する。
【００７５】  本実施の形態における取付具００は図１２のとおり、第２の実施の形態で使用の取付具と同様に面ファスナー１０が固着された係止基部をもち、その係止基部は樹脂製のカメラホルダと一体に形成されている。そしてカメラホルダは小型カメラ３６を搭載している。
【００７６】  図１３（ａ）は小型カメラ３６を搭載した取付具００を被取付対象１００であるジャケットの、前立部分に使用されている面ファスナーに取付を実施した際の正面図である。前開きとなるジャケットの２つの前立て部分を互いに止める為に、ジャケットの前立て部分には複数組の正対する雄部と雌部で構成される面ファスナーが使用され、本実施の形態ではこのうちの１組の面ファスナーを使用して、取付具００を取付ている。
【００７７】  また、図１３（ｂ）は小型カメラ３６を搭載した取付具００を被取付対象１００であるブーツに取付けを実施した時の側面図である。取付は、ブーツ本体の、脛部の締め付けを行うベルト状の締め具とブーツ本体の間で使用されている面ファスナーを使用して実施している。この脛部の締め付けを行うベルト状の締め具は一端をブーツ本体に固定され、ブーツ本体側の面に面ファスナーの雄部が固着されている。また、ブーツ本体側の締め具と正対する部位には面ファスナーの雌部が固着され、締め具側の雄部と、ブーツ本体側の雌部が互いに係止し、ブーツ脛部の締め付けが可能となる。図１３（ｂ）はこれら１対の面ファスナーを使用して、小型カメラ３６を搭載した取付具００を取付けている。
【００７８】  図１３（ｃ）は被取付対象１００であるズボンの裾をまとめるベルトを図示している。ズボンの裾をまとめるベルトはベルト形状で、その一端には取付具００と同じ面ファスナーを使用した面ファスナー２８の雄部６Ｍが、反対側の端には面ファスナー２８の雌部６Ｆが備わっており、図１３（ｄ）の示す通り足裾に巻き付ける事で使用される。ズボンの裾をまとめるベルトの両端に設けられた雄部６Ｍと雌部６Ｆは、使用時に正対して係止可能となるように、ズボンの裾をまとめるベルトの両端の表側と裏側にそれぞれ設けられている。このズボンの裾をまとめるベルトの両端に既設の面ファスナー２８を使用して小型カメラ３６を搭載した取付具００の取付を実施している。
【００７９】  上記３つの例のとおり、本発明に係る取付具の使用により、被取付対象に既設の係止具が持つ、２つ以上の部位または部品を繋ぐという本来の目的を阻害することなく、物品の取付が同時に実現可能となる。また、取付場所に取付具の為に専用の係止具を設ける必用が無い為、使用者に、より多くの取付場所を提供可能となる。
【００８０】  なお、前述の実施の形態は単なる例示に過ぎず、限定的に解釈してはならない。
【符号の説明】
【００８１】  ００…取付具、０１…取付具、１…係止基部、２…物品取付部、３…物品取付手段（物品を取付る為の手段）、５Ｆ…係止基部の係止具の雌部、５Ｆ′…係止基部の係止具の雌部、５Ｍ…係止基部の係止具の雄部、６Ｆ…被取付対象に既設の係止具の雌部、６Ｍ…被取付対象に既設の係止具の雄部、８…係止具取付部、９…係止具取付部、１０…面ファスナー（１対の雌部、雄部で構成される係止具）、１１…バックル（１対の雌部、雄部で構成される係止具）、１２…スナップボタン（１対の雌部、雄部で構成される係止具）、１３…ボタン（１対の雌部、雄部で構成される係止具）、２０…面ファスナー（１対の雌部、雄部で構成される係止具）、２１…バックル（１対の雌部、雄部で構成される係止具）、２３…ボタン（１対の雌部、雄部で構成される係止具）、２８…面ファスナー（１対の雌部、雄部で構成される係止具）、３０…名札ホルダー、３１…ポーチ、３３…名札ホルダー、３４…非接触ＩＣタグ、３５…カラビナ、３６…小型カメラ、４０Ａ…布地、４０Ｂ…布地、１００…被取付対象、２００…面ファスナー雌部表面の繊維質でループ状の素子、２０２…ばね、Ｆ…係止方向、Ｌ１〜Ｌ４…距離、Ｍ…係止方向、Ｗ１〜Ｗ３…距離
【要約】
【課題】被取付対象に既設されている係止具を使用する、確実で、安価で、そしてデザイン性の高いスマートな物品の取付具を提供すること。
【解決手段】  取付具には、被取付対象に取付る為に、１対の雌部５Ｆと雄部５Ｍで構成される面ファスナー１０を有する係止基部１が設けられている。係止基部１の雌部５Ｆと雄部５Ｍは、雄部５Ｍの係止方向と雌部５Ｆの係止方向が略反対を向くように、係止基部１にそれぞれ固着されている。さらに、取付具の係止基部１は、取付対象となる物品と一体に形成されるか、もしくは、物品を取付る為の手段をもつ物品取付部と接続されている、ことを特徴としている。
【選択図】図２【図１】
0005429677.tif 000002
【図２】
0005429677.tif 000003
【図３】
0005429677.tif 000004
【図４】
0005429677.tif 000005
【図５】
0005429677.tif 000006
【図６】
0005429677.tif 000007
【図７】
0005429677.tif 000008
【図８】
0005429677.tif 000009
【図９】
0005429677.tif 000010
【図１０】
0005429677.tif 000011
【図１１】
0005429677.tif 000012
【図１２】
0005429677.tif 000013
【図１３】
0005429677.tif 000014